(57)【特許請求の範囲】
【請求項１】
多数の貫通孔を有する矩形状の正面板と、
前記正面板と空間を介して対向する矩形状の背面板と、
前記正面板と前記背面板とをこれらの外縁において接続する側部材であって、前記空間を介して互いに対向する一対の側部を２組含む側部材と、
多数の貫通孔を有し、前記空間の内部において前記正面板及び前記背面板のそれぞれと対向し、前記空間を複数の空気層に区画する内部板と、
を備えた、箱状の吸音パネルにおいて、
前記複数の空気層のうち少なくともいずれかにおいて、前記２組のうち少なくとも１組の一対の側部における当該空気層を介して互いに対向する一対の内側面の一方が、他方に対して斜めに配置された傾斜部を有し、
前記側部材は、中空部と、前記中空部と連通し且つ前記内側面に開口した多数の貫通孔とを有することを特徴とする、吸音パネル。
【請求項２】
多数の貫通孔を有する矩形状の正面板と、
前記正面板と空間を介して対向する矩形状の背面板と、
前記正面板と前記背面板とをこれらの外縁において接続する側部材であって、前記空間を介して互いに対向する一対の側部を２組含む側部材と、
多数の貫通孔を有し、前記空間の内部において前記正面板及び前記背面板のそれぞれと対向し、前記空間を複数の空気層に区画する内部板と、
を備えた、箱状の吸音パネルにおいて、
前記複数の空気層のうち少なくともいずれかにおいて、前記２組のうち少なくとも１組の一対の側部における当該空気層を介して互いに対向する一対の内側面の一方が、他方に対して斜めに配置された傾斜部を有し、
前記内側面に設けられた傾斜部は、互いに異なる方向を向く複数の平面から構成されていることを特徴とする、吸音パネル。
【請求項３】
前記側部材は、中空部と、前記中空部と連通し且つ前記内側面に開口した多数の貫通孔とを有することを特徴とする、請求項２に記載の吸音パネル。
【請求項４】
前記正面板、前記背面板及び前記内部板は、少なくともいずれかが少なくとも１つの前記内側面に対して垂直に配置され、残りが前記少なくとも１つの内側面に対して斜めに配置された別の傾斜部を有することを特徴とする、請求項１〜３のいずれか１項に記載の吸音パネル。
【発明の詳細な説明】
【技術分野】
【０００１】
本発明は、道路、鉄道等で発生する騒音を低減させるための箱状の吸音パネルに関する。
【背景技術】
【０００２】
箱状の吸音パネルとして、特許文献１に記載のものが知られている。特許文献１に記載の吸音パネル１００は、簡略化すると、図１に示すように、多数の貫通孔１ａを有する矩形状の正面板１と、正面板１と空間Ｖを介して対向する矩形状の背面板２と、正面板１と背面板２とをこれらの外縁において接続する側部材３であって、空間Ｖを介して互いに対向する一対の側部３ａを２組含む側部材３と、多数の貫通孔４ａを有し、空間Ｖの内部において正面板１及び背面板２のそれぞれと対向する２枚の内部板４と、を備えている。空間Ｖは、２枚の内部板４によって、３つの空気層Ｖ１〜Ｖ３に区画されている。２組の一対の側部３ａは、それぞれ、空間Ｖを介して互いに対向する内側面３ａ１同士が互いに平行に配置されている。
【０００３】
特許文献１に記載の吸音パネル１００は、空間Ｖにグラスウール材等の繊維を充填したもの（以下、「繊維系吸音パネル」という。）に比べ、高い耐候性を有し、且つ、幅広い周波数帯域の音を安定して低減することができるという利点を有する。
【先行技術文献】
【特許文献】
【０００４】
【特許文献１】特許第５３０８００６号公報
【発明の概要】
【発明が解決しようとする課題】
【０００５】
しかしながら、特許文献１に記載の吸音パネルのように、内部板４によって空間Ｖが複数の空気層Ｖ１〜Ｖ３に区画された構成においては、空気層Ｖ１〜Ｖ３のそれぞれがバネ、正面板１、背面板２及び内部板４のそれぞれが質量として、共鳴が生じ、各板１，２，４が振動することで、透過損失が低下する。一例として、図２に、特許文献１に記載の吸音パネルのように多数の貫通孔４ａを有する内部板４を空間Ｖに配置した吸音パネル（以下、「多孔吸音パネル」という。）及び繊維系吸音パネルの透過損失を示す。図２で比較している多孔吸音パネル及び繊維系吸音パネルの面密度は略同じであり、質量則に従えば両パネルは同等の透過損失となるはずであるが、多孔吸音パネルでは、共鳴のために８００Ｈｚ及び１０００Ｈｚ帯域で透過損失が低くなっている。
【０００６】
共鳴には、板１，２，４に垂直な方向に伝搬する音波による共鳴（以下、「垂直共鳴」という。）と、板１，２，４に水平な方向に伝搬する音波による共鳴（以下、「水平共鳴」という。）とがある。繊維系吸音パネルでは、空間Ｖに充填された繊維によってこれらの共鳴が抑制されるが、空間Ｖに繊維が存在しない多孔吸音パネルでは、共鳴が抑制されず、透過損失が低下してしまう。
【０００７】
本発明の目的は、共鳴（特に、水平共鳴）を起因とした透過損失の低下を抑制可能な吸音パネルを提供することである。
【課題を解決するための手段】
【０００８】
本発明の第１観点に係る吸音パネルは、多数の貫通孔を有する矩形状の正面板と、前記正面板と空間を介して対向する矩形状の背面板と、前記正面板と前記背面板とをこれらの外縁において接続する側部材であって、前記空間を介して互いに対向する一対の側部を２組含む側部材と、多数の貫通孔を有し、前記空間の内部において前記正面板及び前記背面板のそれぞれと対向し、前記空間を複数の空気層に区画する内部板と、を備えた、箱状の吸音パネルにおいて、前記複数の空気層のうち少なくともいずれかにおいて、前記２組のうち少なくとも１組の一対の側部における当該空気層を介して互いに対向する一対の内側面の一方が、他方に対して斜めに配置された傾斜部を有し、前記側部材は、中空部と、前記中空部と連通し且つ前記内側面に開口した多数の貫通孔とを有することを特徴とする。
本発明の第２観点に係る吸音パネルは、多数の貫通孔を有する矩形状の正面板と、前記正面板と空間を介して対向する矩形状の背面板と、前記正面板と前記背面板とをこれらの外縁において接続する側部材であって、前記空間を介して互いに対向する一対の側部を２組含む側部材と、多数の貫通孔を有し、前記空間の内部において前記正面板及び前記背面板のそれぞれと対向し、前記空間を複数の空気層に区画する内部板と、を備えた、箱状の吸音パネルにおいて、前記複数の空気層のうち少なくともいずれかにおいて、前記２組のうち少なくとも１組の一対の側部における当該空気層を介して互いに対向する一対の内側面の一方が、他方に対して斜めに配置された傾斜部を有し、前記内側面に設けられた傾斜部は、互いに異なる方向を向く複数の平面から構成されていることを特徴とする。
【０００９】
本発明によれば、箱状の吸音パネルにおいて、複数の空気層のうち少なくともいずれかにおいて、２組のうち少なくとも１組の一対の側部における当該空気層を介して互いに対向する一対の内側面の一方が、他方に対して斜めに配置された傾斜部を有する。そのため、側部の内側面で反射した音波が正面板、背面板及び内部板のいずれかに入射し、空間において定在波が形成され難くなる。これにより、水平共鳴が抑制され、共鳴（特に、水平共鳴）を起因とした透過損失の低下を抑制可能である。
【００１０】
本発明の第１観点において、前記側部材は、中空部と、前記中空部と連通し且つ前記内側面に開口した多数の貫通孔とを有する。この場合、側部材に設けられた傾斜部と貫通孔との相乗効果により、水平共鳴がさらに抑制され、共鳴（特に、水平共鳴）を起因とした透過損失の低下をより一層抑制可能である。
【００１１】
前記正面板、前記背面板及び前記内部板は、少なくともいずれかが少なくとも１つの前記内側面に対して垂直に配置され、残りが前記少なくとも１つの内側面に対して斜めに配置された別の傾斜部を有してよい。この場合、側部材に設けられた傾斜部と、正面板、背面板及び内部板の少なくともいずれかに設けられた別の傾斜部との相乗効果により、水平共鳴がさらに抑制され、共鳴（特に、水平共鳴）を起因とした透過損失の低下をより一層抑制可能である。
【００１２】
本発明の第２観点において、前記内側面に設けられた傾斜部は、互いに異なる方向を向く複数の平面から構成されている。この場合、当該内側面で反射した音波の重畳を起因とした定在波の形成がより一層抑制される。これにより、水平共鳴がさらに抑制され、共鳴（特に、水平共鳴）を起因とした透過損失の低下をより一層抑制可能である。
【発明の効果】
【００１３】
本発明によれば、箱状の吸音パネルにおいて、複数の空気層のうち少なくともいずれかにおいて、２組のうち少なくとも１組の一対の側部における当該空気層を介して互いに対向する一対の内側面の一方が、他方に対して斜めに配置された傾斜部を有する。そのため、側部の内側面で反射した音波が正面板、背面板及び内部板のいずれかに入射し、空間において定在波が形成され難くなる。これにより、水平共鳴が抑制され、共鳴（特に、水平共鳴）を起因とした透過損失の低下を抑制可能である。
【図面の簡単な説明】
【００１４】
【図１】特許文献１に記載の吸音パネルを簡略化したものを示す概略断面図である。
【図２】多孔吸音パネル及び繊維系吸音パネルの透過損失を示すグラフである。
【図３】本発明の第１参考形態に係る吸音パネルを示す概略断面図である。
【図４】本発明の第２参考形態に係る吸音パネルを示す概略断面図である。
【図５】本発明の第１実施形態に係る吸音パネルを示す概略断面図である。
【図６】本発明の第３参考形態に係る吸音パネルを示す概略断面図である。
【図７】本発明の第４参考形態に係る吸音パネルを示す概略断面図である。
【図８】本発明の第５参考形態に係る吸音パネルを示す概略断面図である。
【図９】本発明の第６参考形態に係る吸音パネルを示す概略断面図である。
【図１０】本発明の第７参考形態に係る吸音パネルを示す概略平面図である。
【図１１】本発明の第８参考形態に係る吸音パネルを示す概略平面図である。
【図１２】本発明の第２実施形態に係る吸音パネルを示す概略断面図である。
【図１３】本発明の第３実施形態に係る吸音パネルを示す概略断面図である。
【図１４】本発明の第４実施形態に係る吸音パネルを示す概略断面図である。
【図１５】本発明の第５実施形態に係る吸音パネルを示す概略断面図である。
【図１６】本発明の第６実施形態に係る吸音パネルを示す概略断面図である。
【図１７】本発明の第１実施形態に係る吸音パネルにおける透過損失の向上量を示すグラフである。
【発明を実施するための形態】
【００１５】
本発明の第１〜第８参考形態及び第１〜第６実施形態に係る吸音パネル１００は、図３〜図１６に示すように、多数の貫通孔１ａを有する矩形状の正面板１と、正面板１と空間Ｖを介して対向する矩形状の背面板２と、正面板１と背面板２とをこれらの外縁において接続する側部材３であって、空間Ｖを介して互いに対向する一対の側部３ａを２組含む側部材３と、多数の貫通孔４ａを有し、空間Ｖの内部において正面板１及び背面板２のそれぞれと対向する１又は２枚の内部板４と、を備えている。空間Ｖは、第５、第６参考形態及び第２〜第５実施形態では、１枚の内部板４によって２つの空気層Ｖ１，Ｖ２に区画され、第１〜第４参考形態及び第１、第６実施形態では、２枚の内部板４によって３つの空気層Ｖ１〜Ｖ３に区画されている。
【００１６】
第１〜第８参考形態及び第１〜第６実施形態に係る吸音パネル１００は、箱状であり、吸音方向（正面板１から背面板２に向かう方向）Ａから見て矩形状である。具体的には、第１〜第４、第７、第８参考形態及び第１、第６実施形態に係る吸音パネル１００は、直方体形状であり、第５、第６参考形態及び第２〜第５実施形態に係る吸音パネル１００は、直方体形状でない。
【００１７】
正面板１、背面板２、側部材３及び内部板４は、任意の材料（例えば、アルミニウム、鉄、鋼等の金属、又は、樹脂）から構成されてよい。また、正面板１、背面板２、側部材３及び内部板４は、互いに異なる材料で構成されてよい。正面板１、背面板２、側部材３及び内部板４は、任意の固定手段（例えば、ネジ、接着剤、リベット接合、溶接、又は、超音波圧着）により互いに固定されてよい。
【００１８】
正面板１に形成された貫通孔１ａの直径は、例えば０．３〜３．０ｍｍである。正面板１の開口率は、例えば１０％以下である。内部板４に形成された貫通孔４ａの直径は、正面板１に形成された貫通孔１ａの直径よりも小さく、例えば０．０５〜０．１５ｍｍである。内部板４の開口率は、正面板１の開口率よりも小さく、例えば０．２〜１．０％である。貫通孔１ａ，４ａは、任意の加工（パンチング加工、エンボス加工等）により形成されてよい。
【００１９】
音源からの音は、貫通孔１ａを通過する際に減衰する。音の減衰原理（吸音原理）の詳細については、本技術分野（吸音パネル）に係る文献（例えば、特許第５３０８００６号公報）を参照されたい。
【００２０】
側部材３は、吸音方向Ａから見て略矩形枠状である。第５、第６参考形態及び第２〜第５実施形態に係る側部材３は、平ら又は屈曲した板からなる４つの側部３ａを連結して構成されているのに対し、第１〜第４、第７、第８参考形態及び第１、第６実施形態に係る側部材３は、その全周に亘って中空部を有する１又は複数の中空枠部材で構成されている。第１〜第４参考形態及び第１、第６実施形態では、側部材３が吸音方向Ａに積層された３つの中空枠部材３ｘ〜３ｚで構成されており、これら積層された中空枠部材３ｘ〜３ｚの４辺のそれぞれが側部３ａを構成している。第１実施形態では、各中空枠部材３ｘ〜３ｚの内側面に多数の貫通孔３ｐが形成されている。
【００２１】
内部板４は、第５、６参考形態及び第２〜第５実施形態では、折り曲げ加工がなされており、正面板１と側部材３との間に挟持されている。
【００２２】
内部板４は、第１〜第４参考形態及び第１、第６実施形態では、平らである。第１〜第４参考形態及び第１、第６実施形態において、内部板４は、吸音方向Ａに隣接する中空枠部材３ｘ，３ｙの間及び中空枠部材３ｙ，３ｚの間のそれぞれに挟持されている。
【００２３】
第１〜第８参考形態及び第１〜第６実施形態では、空気層Ｖ１〜Ｖ３のうち少なくともいずれかにおいて、２組のうち少なくとも１組の一対の側部３ａにおける当該空気層Ｖ１〜Ｖ３を介して互いに対向する一対の内側面３ａ１〜３ａ３の一方が、他方に対して斜めに配置された傾斜部Ｙを有する。
【００２４】
具体的には、第１参考形態では、中空枠部材３ｘが、空気層Ｖ１を介して互いに対向する一対の内側面３ａ１を有する。一対の内側面３ａ１は、それぞれ、吸音方向Ａに対して斜めに配置されており、吸音方向Ａの下流に向かうにつれて互いに近づく方向に傾斜している。中空枠部材３ｙが、空気層Ｖ２を介して互いに対向する一対の内側面３ａ２を有する。一対の内側面３ａ２は、それぞれ、吸音方向Ａに対して斜めに配置されており、吸音方向Ａの下流に向かうにつれて互いに離れる方向に傾斜している。中空枠部材３ｚが、空気層Ｖ３を介して互いに対向する一対の内側面３ａ３を有する。一対の内側面３ａ３は、それぞれ、吸音方向Ａに対して斜めに配置されており、吸音方向Ａの下流に向かうにつれて互いに近づく方向に傾斜している。これにより、各空気層Ｖ１〜Ｖ３において、一対の側部３ａにおける各空気層Ｖ１〜Ｖ３を介して互いに対向する一対の内側面３ａ１〜３ａ３の一方（図３左方）が、他方（図３右方）に対して斜めに配置された部分（傾斜部Ｙ）を有する。
【００２５】
第２参考形態では、中空枠部材３ｘが、空気層Ｖ１を介して互いに対向する一対の内側面３ａ１を有する。一対の内側面３ａ１の一方（図４左方）が、吸音方向Ａに対して斜めに配置されており、吸音方向Ａの下流に向かうにつれて他方（図４右方）に近づく方向に傾斜している。中空枠部材３ｙが、空気層Ｖ２を介して互いに対向する一対の内側面３ａ２を有する。一対の内側面３ａ２の一方（図４左方）が、吸音方向Ａに対して斜めに配置されており、吸音方向Ａの下流に向かうにつれて他方（図４右方）から離れる方向に傾斜している。中空枠部材３ｚが、空気層Ｖ３を介して互いに対向する一対の内側面３ａ３を有する。一対の内側面３ａ３の一方（図４左方）が、吸音方向Ａに対して斜めに配置されており、吸音方向Ａの下流に向かうにつれて他方（図４右方）に近づく方向に傾斜している。一対の内側面３ａ１〜３ａ３の他方（図４右方）は、吸音方向Ａに沿って延在している。これにより、各空気層Ｖ１〜Ｖ３において、一対の側部３ａにおける各空気層Ｖ１〜Ｖ３を介して互いに対向する一対の内側面３ａ１〜３ａ３の一方（図４左方）が、他方（図４右方）に対して斜めに配置された部分（傾斜部Ｙ）を有する。
【００２６】
第１実施形態に係る吸音パネル１００は、各中空枠部材３ｘ〜３ｚの内側面に多数の貫通孔３ｐが形成されている点において第１参考形態と異なり、上記の点以外は第１参考形態と同様である。各貫通孔３ｐは、当該中空枠部材３ｘ〜３ｚの中空部と連通し、且つ、当該中空枠部材３ｘ〜３ｚの内側面に開口している。
【００２７】
第３参考形態では、各中空枠部材３ｘ〜３ｙが、空気層Ｖ１〜Ｖ３を介して互いに対向する一対の内側面３ａ１〜３ａ３を有する。一対の内側面３ａ１〜３ａ３は、それぞれ、吸音方向Ａに対して斜めに配置されており、吸音方向Ａの下流に向かうにつれて互いに離れる方向に傾斜している。これにより、各空気層Ｖ１〜Ｖ３において、一対の側部３ａにおける各空気層Ｖ１〜Ｖ３を介して互いに対向する一対の内側面３ａ１〜３ａ３の一方（図６左方）が、他方（図６右方）に対して斜めに配置された部分（傾斜部Ｙ）を有する。
【００２８】
第４参考形態では、各中空枠部材３ｘ〜３ｙが、空気層Ｖ１〜Ｖ３を介して互いに対向する一対の内側面３ａ１〜３ａ３を有する。一対の内側面３ａ１〜３ａ３は、それぞれ、吸音方向Ａに対して斜めに配置されており、吸音方向Ａの下流に向かうにつれて互いに近づく方向に傾斜している。これにより、各空気層Ｖ１〜Ｖ３において、一対の側部３ａにおける各空気層Ｖ１〜Ｖ３を介して互いに対向する一対の内側面３ａ１〜３ａ３の一方（図７左方）が、他方（図７右方）に対して斜めに配置された部分（傾斜部Ｙ）を有する。
【００２９】
第５参考形態では、平らな板からなる一対の側部３ａが、空気層Ｖ２を介して互いに対向する一対の内側面３ａ２を有する。一対の内側面３ａ２は、それぞれ、吸音方向Ａに対して斜めに配置されており、吸音方向Ａの下流に向かうにつれて互いに近づく方向に傾斜している。これにより、空気層Ｖ２において、一対の側部３ａにおける空気層Ｖ２を介して互いに対向する一対の内側面３ａ２の一方（図８左方）が、他方（図８右方）に対して斜めに配置された部分（傾斜部Ｙ）を有する。
【００３０】
第６参考形態では、平らな板からなる一対の側部３ａが、空気層Ｖ２を介して互いに対向する一対の内側面３ａ２を有する。一対の内側面３ａ２の一方（図９左方）が、吸音方向Ａに対して斜めに配置されており、吸音方向Ａの下流に向かうにつれて他方（図９右方）に近づく方向に傾斜している。一対の内側面３ａ２の他方（図９右方）は、吸音方向Ａに沿って延在している。これにより、空気層Ｖ２において、一対の側部３ａにおける空気層Ｖ２を介して互いに対向する一対の内側面３ａ２の一方（図９左方）が、他方（図９右方）に対して斜めに配置された部分（傾斜部Ｙ）を有する。
【００３１】
さらに、第６参考形態では、正面板１、背面板及び内部板４のうち、正面板１が図９右方の内側面３ａ２に対して垂直に配置され、残り（背面板２及び内部板４）が図９右方の内側面３ａ２に対して斜めに配置された別の傾斜部Ｘを有する。
【００３２】
第７参考形態では、中空枠部材３ｘが、空気層Ｖ１を介して互いに対向する一対の内側面３ａ１を２組有する。図１０左右方向に対向する一対の内側面３ａ１の一方（図１０左方）が、図１０上下方向に対して斜めに配置されており、図１０下方に向かうにつれて他方（図１０右方）から離れる方向に傾斜している。当該内側面の他方（図１０右方）は、図１０上下方向に沿って延在している。これにより、空気層Ｖ１において、図１０左右方向に対向する一対の側部３ａにおける空気層Ｖ１を介して互いに対向する一対の内側面３ａ２の一方（図１０左方）が、他方（図１０右方）に対して斜めに配置された部分（傾斜部Ｙ）を有する。
【００３３】
第８参考形態では、中空枠部材３ｘが、空気層Ｖ１を介して互いに対向する一対の内側面３ａ１を２組有する。図１１左右方向に対向する一対の内側面３ａ１の一方（図１１左方）が、図１１上下方向に対して斜めに配置されており、図１１下方に向かうにつれて他方（図１１右方）から離れる方向に傾斜している。さらに、図１１上下方向に対向する一対の内側面の一方（図１１上方）が、図１１左右方向に対して斜めに配置されており、図１１右方に向かうにつれて他方（図１１下方）に近づく方向に傾斜している。これにより、空気層Ｖ１において、図１１左右方向に対向する一対の側部３ａにおける空気層Ｖ１を介して互いに対向する一対の内側面３ａ１の一方（図１１左方）が、他方（図１１右方）に対して斜めに配置された部分（傾斜部Ｙ）を有し、且つ、図１１上下方向に対向する一対の側部３ａにおける空気層Ｖ１を介して互いに対向する一対の内側面３ａ１の一方（図１１上方）が、他方（図１１下方）に対して斜めに配置された部分（傾斜部Ｙ）を有する。
【００３４】
第２〜第５実施形態では、平ら又は屈曲した板からなる一対の側部３ａが、空気層Ｖ２を介して互いに対向する一対の内側面３ａ２を有する。第２実施形態では、一対の側部３ａがそれぞれ内側に屈曲している。第３実施形態では、一対の側部３ａがそれぞれ外側に屈曲している。第４実施形態では、一対の側部３ａのうち一方（図１４左方）が外側に屈曲し、他方（図１４右方）は平らであって吸音方向Ａに沿って配置されている。第５実施形態では、一対の側部３ａがそれぞれ内側に屈曲し、且つ、一対の側部３ａの一方と他方とで屈曲位置が吸音方向Ａにおいて異なる。第２及び第５実施形態において、一対の内側面３ａ２は、それぞれ、吸音方向Ａの下流に向かうにつれて互いに近づく方向に傾斜した第１平面と、第１平面の吸音方向Ａの下流端部に接続し、吸音方向Ａの下流に向かうにつれて互いに離れる方向に傾斜した第２平面とを有する。第３及び第４実施形態において、一対の内側面３ａ２のうち屈曲した面は、それぞれ、吸音方向Ａの下流に向かうにつれて互いに離れる方向に傾斜した第２平面と、第２平面の吸音方向Ａの下流端部に接続し、吸音方向Ａの下流に向かうにつれて互いに離れる方向に傾斜した第１平面とを有する。これにより、空気層Ｖ２において、一対の側部３ａにおける空気層Ｖ２を介して互いに対向する一対の内側面３ａ２の一方（図１２〜図１５の各図の左方）が、他方（図１２〜図１５の各図の右方）に対して斜めに配置された部分（傾斜部Ｙ）を有する。当該傾斜部Ｙは、互いに異なる方向を向く２つの平面３ａ２１，３ａ２２（第１平面及び第２平面）から構成されている。
【００３５】
第６実施形態に係る吸音パネル１００は、中空枠部材３ｚの構成が第３参考形態と異なり、それ以外は第３参考形態と同様である。第６実施形態において、中空枠部材３ｚは、空気層Ｖ３を介して互いに対向する一対の内側面３ａ３を有する。一対の内側面３ａ３は、それぞれ、吸音方向Ａの下流に向かうにつれて互いに近づく方向に傾斜した第１平面と、第１平面の吸音方向Ａの下流端部に接続し、吸音方向Ａの下流に向かうにつれて互いに離れる方向に傾斜した第２平面とを有する。これにより、空気層Ｖ３において、一対の側部３ａにおける空気層Ｖ３を介して互いに対向する一対の内側面３ａ３の一方（図１６左方）が、他方（図１６右方）に対して斜めに配置された部分（傾斜部Ｙ）を有する。当該傾斜部Ｙは、互いに異なる方向を向く２つの平面３ａ３１，３ａ３２（第１平面及び第２平面）から構成されている。
【００３６】
以上に述べたように、第１〜第８参考形態及び第１〜第６実施形態によれば、箱状の吸音パネル１００において、複数の空気層Ｖ１〜Ｖ３のうち少なくともいずれかにおいて、２組のうち少なくとも１組の一対の側部３ａにおける当該空気層Ｖ１〜Ｖ３を介して互いに対向する一対の内側面３ａ１〜３ａ３の一方が、他方に対して斜めに配置された傾斜部Ｙを有する。そのため、側部３ａの内側面３ａ１〜３ａ３で反射した音波が正面板１、背面板２及び内部板４のいずれかに入射し、空間Ｖにおいて定在波が形成され難くなる。これにより、水平共鳴が抑制され、共鳴（特に、水平共鳴）を起因とした透過損失の低下を抑制可能である。
【００３７】
第１実施形態において、側部材３は、中空部と、中空部と連通し且つ内側面３ａ１〜３ａ３に開口した多数の貫通孔３ｐとを有する。この場合、側部材３に設けられた傾斜部Ｙと貫通孔３ｐとの相乗効果により、水平共鳴がさらに抑制され、共鳴（特に、水平共鳴）を起因とした透過損失の低下をより一層抑制可能である。
【００３８】
第６参考形態において、正面板１が図９右方の内側面３ａ２に対して垂直に配置され、残り（背面板２及び内部板４）が図９右方の内側面３ａ２に対して斜めに配置された別の傾斜部Ｘを有する。この場合、側部材３に設けられた傾斜部Ｙと、背面板２及び内部板４に設けられた別の傾斜部Ｘとの相乗効果により、水平共鳴がさらに抑制され、共鳴（特に、水平共鳴）を起因とした透過損失の低下をより一層抑制可能である。
【００３９】
第２〜第６実施形態において、内側面３ａ１〜３ａ３に設けられた傾斜部Ｙは、互いに異なる方向を向く複数の平面３ａ２１，３ａ２２；３ａ３１，３ａ３２（第１平面及び第２平面）から構成されている。この場合、当該内側面３ａ１〜３ａ３で反射した音波の重畳を起因とした定在波の形成がより一層抑制される。これにより、水平共鳴がさらに抑制され、共鳴（特に、水平共鳴）を起因とした透過損失の低下をより一層抑制可能である。
【００４０】
以上、本発明の好適な実施の形態について説明したが、本発明は上述の実施形態に限られるものではなく、特許請求の範囲に記載した限りにおいて様々な設計変更が可能なものである。例えば、内部板の数は、１又は複数であり、３以上であってもよい。一対の内側面の一方は、他方に対して、全体的に斜めに配置されることに限定されず、部分的に斜めに配置されてよい（即ち、一部のみに傾斜部を有してよい）。内側面に設けられた傾斜部は、互いに異なる方向を向く３以上の平面から構成されてよい。第１実施形態（側部材が中空部及び中空部と連通する多数の貫通孔を有する形態）以外の形態（第１〜第４、第７、第８参考形態及び第６実施形態）において、側部材を中空ではなく中実の枠部材で構成してもよい。
【符号の説明】
【００４１】
１  正面板
１ａ  貫通孔
２  背面板
３  側部材
３ａ  側部
３ａ１〜３ａ３  内側面
３ａ２１，３ａ２２，３ａ３１，３ａ３２  平面
３ｐ  貫通孔
４  内部板
４ａ  貫通孔
１００  吸音パネル
Ａ  吸音方向
Ｖ  空間
Ｖ１〜Ｖ３  空気層
Ｘ  別の傾斜部
Ｙ  傾斜部                                                               
【図１】
0006662712.tif 000002
【図２】
0006662712.tif 000003
【図３】
0006662712.tif 000004
【図４】
0006662712.tif 000005
【図５】
0006662712.tif 000006
【図６】
0006662712.tif 000007
【図７】
0006662712.tif 000008
【図８】
0006662712.tif 000009
【図９】
0006662712.tif 000010
【図１０】
0006662712.tif 000011
【図１１】
0006662712.tif 000012
【図１２】
0006662712.tif 000013
【図１３】
0006662712.tif 000014
【図１４】
0006662712.tif 000015
【図１５】
0006662712.tif 000016
【図１６】
0006662712.tif 000017
【図１７】
0006662712.tif 000018